(57)【要約】【課題】電話装置と情報処理端末との接続方式の簡素化と、より確実な接続成就と通信費用の削減とを図ることができる。【解決手段】ＩＳＤＮ１１と接続してＱ．９３１プロトコルに基づく呼接続設定を行うと共にＶＤＴ端末１４を含む電話端末１３を収容する電話装置１２と、Ｈ．３２３プロトコルに基づく呼接続設定を行うＬＡＮ２３とのそれぞれに接続して両者のプロトコル間の相互変換を行うプロトコル変換モジュール３０を備えている。【選択図】　　　図１
2004048609.tif 000002
【特許請求の範囲】
【請求項１】
各種機能の電話端末を収容してサービス総合デジタル網（ＩＳＤＮ）に接続する電話装置における情報処理端末との相互接続方式であって、前記情報処理端末が接続するローカルエリアネットワーク（ＬＡＮ）と前記電話装置との間に、それら相互間のプロトコル変換を実行するプロトコル変換モジュールを備えることを特徴とする電話装置における情報処理端末との相互接続方式。
【請求項２】
請求項１において、前記プロトコル変換モジュールは前記電話装置で端末側に収容接続されることを特徴とする電話装置における情報処理端末との相互接続方式。
【請求項３】
請求項１において、前記プロトコル変換モジュールは前記電話装置でＩＳＤＮ側に収容接続されることを特徴とする電話装置における情報処理端末との相互接続方式。
【請求項４】
請求項１において、前記プロトコル変換モジュールは前記電話装置に内蔵されることを特徴とする電話装置における情報処理端末との相互接続方式。
【請求項５】
請求項１において、前記プロトコル変換モジュールは国際電気通信連合（ＩＴＵ）のＨ．３２３規格プロトコルとＱ．９３１規格プロトコルとを相互変換することを特徴とする電話装置における情報処理端末との相互接続方式。
【請求項６】
請求項１において、前記プロトコル変換モジュールは、国際電気通信連合（ＩＴＵ）のＨ．３２３規格プロトコルとＱ．９３１規格プロトコルとを相互変換する変換プログラムと、前記電話装置と接続するＱ．９３１インターフェース部と、前記ＬＡＮと接続するＨ．３２３インターフェース部とを有し、二つの前記インターフェース部それぞれは外部からデータを受けた際に、受けたデータを前記変換プログラムにより相手先プロトコルに基づいて変換し相手のインターフェース部を介し送出することを特徴とする電話装置における情報処理端末との相互接続方式。
【発明の詳細な説明】
【０００１】
【発明の属する技術分野】
本発明は、各種機能の電話端末を収容してサービス総合デジタル網（ＩＳＤＮ）に接続する電話装置における情報処理端末との相互接続方式に関し、特に、電話装置に情報処理端末を容易にかつ単純に収容できる電話装置と情報処理端末との相互接続方式に関する。
【０００２】
【従来の技術】
従来、この種の電話装置における情報処理端末との相互接続方式では、例えば、図５に示されるように、ＩＳＤＮ１１に接続される電話装置１２−Ａは、ＩＳＤＮ１１が接続するゲートウェイサーバー１３０を介して、一つのプロバイダーが運用するローカルエリアネットワーク（ＬＡＮ）２３と相互接続する。このような接続により、電話装置１２０はＬＡＮ２３に接続する情報処理端末（以後、情処端末と略称する）２４とアクセスすることができる。
【０００３】
近年、例えばＩＰ（インターネットプロトコル）のもとでトランスポート層に用いられるＴＣＰ（トランスミッション・コントロール・プロトコル）に基づいてビデオ・データ・電話の通信が可能な多機能端末（以後、ＶＤＴ端末と呼称する）１４が普及し、電話装置１２０からＩＳＤＮ１１を介して、ＶＤＴ端末１４が加入するプロバイダーのＬＡＮ２３にアクセスできる。従って、ＶＤＴ端末１４は更にルーター２２を介してインターネット２１ともアクセスできる。
【０００４】
呼設定接続において、ＬＡＮ２３を含むインターネット２１ではＩＴＵ規格のＨ．３２３プロトコルが使用される。一方、ＩＳＤＮ１１では、ＩＴＵ規格のＱ．９３１プロトコルが使用される。ＩＳＤＮ１１とＬＡＮ２３との間の呼設定接続では、ゲートウェイサーバー１３０がＨ．３２３プロトコルとＱ．９３１プロトコルとの相互変換を実行する。
【０００５】
【発明が解決しようとする課題】
上述した従来の電話装置における情報処理端末との相互接続方式では、電話装置を所有するユーザが、加入するプロバイダーのＬＡＮに接続する情報処理端末を保有している場合、電話装置に接続する多機能端末との通信が不自由であるという問題点がある。
【０００６】
その理由は、一つのプロバイダーに加入する多機能端末と情報処理端末であっても、相互通信ではＩＳＤＮを介する必要があるからである。すなわち、ＩＳＤＮ、ＬＡＮ、およびその間に介在するゲートウェイサーバーのトラフィック状態により接続時間が増大し、場合によっては接続不能で再発呼手続が必要となる。また、ＩＳＤＮが公衆網のため通信費用も必要である。
【０００７】
本発明の課題は、このような問題点を解決し、電話装置と情報処理端末との接続方式の簡素化により、より確実な接続成就と通信費用の削減とができる電話装置における情報処理端末との相互接続方式を提供することである。
【０００８】
【課題を解決するための手段】
本発明による電話装置における情報処理端末との相互接続方式は、各種機能の電話端末を収容してサービス総合デジタル網（ＩＳＤＮ）に接続する電話装置に関わている。すなわち、情報処理端末が接続するローカルエリアネットワーク（ＬＡＮ）と電話装置との間に、それら相互間のプロトコル変換を実行するプロトコル変換モジュールを備えることが特徴である。この構成で、プロトコル変換モジュールは、ＬＡＮにおいては一つの情報処理端末として位置づけられ、かつ電話装置においては内線の一端末またはＩＳＤＮの一データ線に位置づけることができる。このようにプロトコル変換モジュールは端末または回線中継器として取り扱えるが、電話装置に内蔵してもよい。
【０００９】
プロトコル変換モジュールは、国際電気通信連合（ＩＴＵ）におけるインターネット関連のＨ．３２３規格プロトコルと、ＩＳＤＮに関係するＱ．９３１規格プロトコルとを相互変換する。
【００１０】
具体的なプロトコル変換モジュールの構成は、電話装置と接続するＱ．９３１インターフェース部と、ＬＡＮと接続するＨ．３２３インターフェース部と、両者のプロトコルを相互変換する変換プログラムとを有し、インターフェース部それぞれは外部からデータを受けた際に、前記変換プログラムにより相手先プロトコルに基づいて、受けたデータを変換し相手のインターフェース部を介し送出している。
【００１１】
【発明の実施の形態】
次に、本発明の実施の形態について図面を参照して説明する。
【００１２】
図１は本発明の実施の一形態を示す機能ブロック図である。図１に示された電話装置における情報処理端末との相互接続方式では、プロトコル変換モジュール３０が電話装置１２の収容端末として位置づけられている。
【００１３】
図示されるように、ＩＳＤＮ１１には、電話装置１２が接続される。電話装置１２はボタン電話装置または構内自動交換機である。電話装置１２は、端末として電話端末１３およびＶＤＴ端末１４、並びにプロトコル変換モジュール３０を収容接続している。従って、電話装置１２は、従来と同一でよく、ＩＴＵ規格Ｑ．９３１プロトコルに基づいて呼接続設定およびデータ転送を、外線のＩＳＤＮ回線および内線の端末収容回線に対して実行する。ここで、電話装置１２は、プロトコル変換モジュール３０を自己が収容する端末の一つとして取り扱っている。
【００１４】
また、図示されるように一つのプロバイダーは、インターネット２１にルーター２２を介して自己が事業するＬＡＮ２３を接続している。ＬＡＮ２３には、情処端末２４およびプロトコル変換モジュール３０を収容接続している。従って、各情報処理装置への接続設定およびデータ転送はＩＴＵ規格Ｈ．３２３プロトコルに基づいている。更に、プロトコル変換モジュール３０は、ＬＡＮ２３に接続する一つのサーバーであり、電話装置１２とのゲートウェイ機能を有している。
【００１５】
上述した接続構成により、プロトコル変換モジュール３０は、一方で電話装置１２と接続し、他方でＬＡＮ２３と接続している。従って、プロトコル変換モジュール３０は、電話装置１２とはＱ．９３１プロトコルでインターフェースし、ＬＡＮ２３とはＨ．３２３プロトコルでインターフェースする。
【００１６】
次に図１に図２を併せ参照して、プロトコル変換モジュール３０について説明する。
【００１７】
プロトコル変換モジュール３０は、Ｑ．９３１インタフェース部（Ｑ．９３１−Ｉ／Ｆ）３１、Ｈ．３２３インタフェース部（Ｈ．３２３−Ｉ／Ｆ）３２、および変換プログラム３３を主要な構成要素としている。
【００１８】
Ｑ．９３１−Ｉ／Ｆ３１は、電話装置１２とのインターフェースであり、一方では電話装置１２から電話端末１３と同様のＱ．９３１プロトコルに基づく手順で発呼および着呼の制御を受ける。この結果、発呼端末または着呼端末となる例えばＶＤＴ端末１４との通信路が形成される。Ｑ．９３１−Ｉ／Ｆ３１は、ＶＤＴ端末１４からＱ．９３１プロトコルに基づくデータを受けるので、これを、変換プログラム３３を介して、Ｈ．３２３プロトコルに基づくデータに変換してＬＡＮ２３へ送出する。他方、Ｑ．９３１−Ｉ／Ｆ３１は、Ｈ．３２３−Ｉ／Ｆ３２または変換プログラム３３からＱ．９３１プロトコルに基づく宛て先情報を受取る。次いで、Ｑ．９３１−Ｉ／Ｆ３１は、電話装置１２とのデータ授受によりまず着呼先端末との間の通信路を形成したのち、Ｈ．３２３プロトコルから変換されたＱ．９３１プロトコルに基づくデータを電話装置１２へ送出する。
【００１９】
Ｈ．３２３−Ｉ／Ｆ３２は、ＬＡＮ２３とのインターフェースであり、一方ではＬＡＮ２３からＨ．３２３プロトコルに基づく宛て先アドレス情報を受け、これをＱ．９３１プロトコルに基づくアドレスに変換してＱ．９３１−Ｉ／Ｆ３１を介して電話装置１２へ送る。この宛て先アドレスは電話装置１２に収容される複数のＶＤＴ端末それぞれに対して与えられており、電話装置１２は受けたアドレスから発呼者が指定したＶＤＴ端末１４に通信路を形成できる。また、Ｈ．３２３−Ｉ／Ｆ３２は、インターネットに対応する標準プロトコルの一つであるＴＣＰ（Ｔｒａｎｓｍｉｓｓｉｏｎ　Ｃｏｎｔｒｏｌ　Ｐｒｏｔｏｃｏｌ）とＵＤＰ（Ｕｓｅｒ　Ｄａｔａｇｒａｍ　Ｐｒｏｔｏｃｏｌ）とを搭載してデータ転送を制御している。
【００２０】
変換プログラム３３は、ＩＴＵ規格であるＱ．９３１プロトコルとＨ．３２３プロトコルとの相互変換プログラムを有している。変換プログラム３３は、一方でＱ．９３１−Ｉ／Ｆ３１から受けたＱ．９３１プロトコルに基づくデータをＨ．３２３プロトコルに基づくデータに変換して返却する。他方で、変換プログラム３３は、Ｈ．３２３−Ｉ／Ｆ３２から受けたＨ．３２３プロトコルに基づくデータをＱ．９３１プロトコルに基づくデータに変換して返却する。
【００２１】
次に、図２および図３に図１を併せ参照してプロトコル変換モジュール３０の動作について説明する。
【００２２】
プロトコル変換モジュール３０では、Ｑ．９３１−Ｉ／Ｆ３１またはＨ．３２３−Ｉ／Ｆ３２が電話装置１２またはＬＡＮ２３からデータを受付け（手順Ｓ１）する。
【００２３】
Ｑ．９３１−Ｉ／Ｆ３１は、電話装置１２からのデータを受付け（手順Ｓ２のＹＥＳ）した際には、電話装置１２から受けたデータをプロトコル変換モジュール３０に送り、Ｑ．９３１プロトコルに基づいてＨ．３２３プロトコルに変換（手順Ｓ３）させる。Ｑ．９３１−Ｉ／Ｆ３１は、変換されたデータを受け、受けたデータを、Ｈ．３２３−Ｉ／Ｆ３２のＩＰソケットを介してＬＡＮ２３へ送出（手順Ｓ４）する。このような手順を経て、パケット化されたデータがＬＡＮ２３で通信（手順Ｓ５）される。
【００２４】
また、上記手順Ｓ２が「ＮＯ」で、Ｈ．３２３−Ｉ／Ｆ３２がＬＡＮ２３からのデータを受付けした際には、ＬＡＮ２３から受けたデータをプロトコル変換モジュール３０に送り、Ｈ．３２３プロトコルに基づいてＱ．９３１プロトコルに変換（手順Ｓ１１）させる。Ｈ．３２３−Ｉ／Ｆ３２は、変換されたデータを受け、受けたデータを、Ｑ．９３１−Ｉ／Ｆ３１を介して電話装置１２へ送出（手順Ｓ１２）する。このような手順を経て、データが電話装置１２で通信（手順Ｓ５）される。
【００２５】
次に、図１を参照して、ＶＤＴ端末１４からの発信手順について説明する。
【００２６】
ＶＤＴ端末１４は、例えば情処端末２４の端末アドレスを宛て先アドレスとして音声、画像等を含む送付データと共に呼接続要求する。これを受けた電話装置１２は端末アドレスによりプロトコル変換モジュール３０を選択してＶＤＴ端末１４へ、Ｑ．９３１プロトコルに基づく呼設定メッセージを送る。プロトコル変換モジュール３０は、受けた端末アドレスを含む呼設定メッセージにより、Ｈ．３２３プロトコルに指定される一連の信号に基づいてＬＡＮ２３の登録、承認を得る。こののち、電話装置１２は、プロトコル変換された呼設定メッセージにより情処端末２４を呼出し、上記送付データを届けることができる。
【００２７】
一方、情処端末２４を電話装置１２の収容端末として情処端末２４とＶＤＴ端末１４との通信を可能とする場合、ＶＤＴ端末１４にドメイン内の所定のアドレスを付与することにより、プロトコル変換モジュール３０を介して相互接続することができる。すなわち、情処端末２４からの音声データ転送の場合、ＶＤＴ端末１４のアドレスによりＨ．３２３プロトコルに基づく呼設定メッセージがプロトコル変換モジュール３０に届く。プロトコル変換モジュール３０がこの呼設定メッセージをＱ．９３１プロトコルに基づく呼設定メッセージに変換して電話装置１２に送ることにより、ＶＤＴ端末１４が上記音声データを受けられる。
【００２８】
次に、図４を参照して図１とは別の実施態様について説明する。
【００２９】
図４と図１との相違は、電話装置１２−Ａが複数の外線を収容可能でありその一つをプロトコル変換モジュール３０−Ａに接続している点である。
【００３０】
その動作手順は図１を参照して説明したものとほぼ同一である。
【００３１】
その相違は、電話装置１２−Ａ内での転送が可能な点である。
【００３２】
上記説明では、既存の電話装置をそのまま使用できるように、プロトコル変換モジュールが電話装置とＬＡＮとの間に設けられると説明したが、プロトコル変換モジュールを電話装置に内蔵させてもよい。更に、電話装置がボタン電話装置または構内自動交換機と説明したが、他の呼処理装置にも適用可能である。
【００３３】
上記説明では、図示された機能ブロックおよび手順を参照しているが、機能の分離併合による配分または手順の前後入替えなどの変更は上記機能を満たす限り自由であり、上記説明が本発明を限定するものではない。
【００３４】
【発明の効果】
以上説明したように本発明によれば、電話装置とＬＡＮとに接続してそれぞれが使用する異なるプロトコルの相互変換を行うモジュールを備える電話装置における情報処理端末との相互接続方式が得られる。
【００３５】
この構成によって、ＬＡＮに接続される情報処理端末を電話装置に直接収容して機能させることができる。従って、例えばＱ．９３１プロトコルに基づいて稼働する電話装置に、複雑なＨ．３２３プロトコルのための大規模となる呼制御プログラムを開発することが不要であるという効果が得られる。すなわち、電話装置と情報処理端末との接続方式の簡素化により、より確実な接続成就と通信費用の削減とが可能である。
【図面の簡単な説明】
【図１】本発明の実施の一形態を示す中継方式図である。
【図２】図１におけるプロトコル変換モジュールの実施の一形態を示すブロック図である。
【図３】図２におけるプロトコル変換モジュールの主要動作手順の実施の一形態を示すフローチャートである。
【図４】図１とは別の本発明により実施の一形態を示す中継方式図である。
【図５】従来の一例を示す機能ブロック図である。
【符号の説明】
１１　　ＩＳＤＮ
１２　　電話装置
１３　　電話端末
１４　　ＶＤＴ端末
２１　　インターネット
２２　　ルーター
２３　　ＬＡＮ
２４　　情報処理端末（情処端末）
３０　　プロトコル変換モジュール
３１　　Ｑ．９３１インタフェース部（Ｑ．９３１−Ｉ／Ｆ）
３２　　Ｈ．３２３インタフェース部（Ｈ．３２３−Ｉ／Ｆ）
３３　　変換プログラム
【図１】
2004048609.tif 000003
【図２】
2004048609.tif 000004
【図３】
2004048609.tif 000005
【図４】
2004048609.tif 000006
【図５】
2004048609.tif 000007